(57)【要約】【課題】  高精度の両面印刷を高速に実行することができるインクジェット造形方法を提供する。【解決手段】  記録媒体９０を搬送する搬送機構２０と、ノズルからのインクの吐出方向が矢印１０ａで示す鉛直方向の下向きであるインクジェットヘッド４３およびインクジェットヘッド５３とを備え、インクジェットヘッド４３は、表面が矢印１０ａで示す鉛直方向の上面である記録媒体９０の表面に印刷を行い、搬送機構２０は、インクジェットヘッド４３によって表面に印刷が行われた記録媒体９０の裏面が矢印１０ａで示す鉛直方向の上面になるように記録媒体９０の表裏を変更する方向変更部材２７および方向変更部材２９を備え、インクジェットヘッド５３は、方向変更部材２７および方向変更部材２９によって裏面が矢印１０ａで示す鉛直方向の上面にされた記録媒体９０の裏面に印刷を行うことを特徴とする。【選択図】  図１
2017052098.tif 000002
【特許請求の範囲】
【請求項１】
記録媒体を搬送する搬送機構と、
ノズルからのインクの吐出方向が鉛直方向の下向きである第１のインクジェットヘッドおよび第２のインクジェットヘッドとを備え、
前記第１のインクジェットヘッドは、表面が鉛直方向の上面である前記記録媒体の表面に印刷を行い、
前記搬送機構は、前記第１のインクジェットヘッドによって表面に印刷が行われた前記記録媒体の裏面が鉛直方向の上面になるように前記記録媒体の表裏を変更する表裏変更機構を備え、
前記第２のインクジェットヘッドは、前記表裏変更機構によって裏面が鉛直方向の上面にされた前記記録媒体の裏面に印刷を行うことを特徴とするインクジェットプリンター。
【請求項２】
前記搬送機構は、
巻かれた前記記録媒体を前記第１のインクジェットヘッドおよび前記第２のインクジェットヘッドによる両面印刷のために前記第１のインクジェットヘッド側に繰り出す両面印刷用繰り出しローラーと、
前記第１のインクジェットヘッドおよび前記第２のインクジェットヘッドによって両面印刷された前記記録媒体を前記第２のインクジェットヘッド側から巻き取る両面印刷用巻き取りローラーとを備えることを特徴とする請求項１に記載のインクジェットプリンター。
【請求項３】
前記搬送機構は、
巻かれた前記記録媒体を前記第１のインクジェットヘッドによる片面印刷のために前記第１のインクジェットヘッド側に繰り出す第１の片面印刷用繰り出しローラーと、
前記第１のインクジェットヘッドによって片面印刷された前記記録媒体を前記第１のインクジェットヘッド側から巻き取る第１の片面印刷用巻き取りローラーと、
巻かれた前記記録媒体を前記第２のインクジェットヘッドによる片面印刷のために前記第２のインクジェットヘッド側に繰り出す第２の片面印刷用繰り出しローラーと、
前記第２のインクジェットヘッドによって片面印刷された前記記録媒体を前記第２のインクジェットヘッド側から巻き取る第２の片面印刷用巻き取りローラーとを備え、
前記第１の片面印刷用繰り出しローラーおよび前記第１の片面印刷用巻き取りローラーの一方は、前記両面印刷用繰り出しローラーであり、
前記第２の片面印刷用繰り出しローラーおよび前記第２の片面印刷用巻き取りローラーの一方は、前記両面印刷用巻き取りローラーであることを特徴とする請求項２に記載のインクジェットプリンター。
【請求項４】
前記表裏変更機構は、
前記第１のインクジェットヘッドと、
前記第１の片面印刷用繰り出しローラーおよび前記第１の片面印刷用巻き取りローラーのうち前記両面印刷用繰り出しローラー以外の方との間に配置されていることを特徴とする請求項３に記載のインクジェットプリンター。
【請求項５】
前記表裏変更機構は、前記記録媒体の搬送方向を反対方向に変更することを特徴とする請求項１から請求項４までの何れかに記載のインクジェットプリンター。
【発明の詳細な説明】
【技術分野】
【０００１】
本発明は、両面印刷が可能なインクジェットプリンターに関する。
【背景技術】
【０００２】
従来、両面印刷が可能なインクジェットプリンターとして、記録媒体を鉛直方向に搬送する搬送機構と、インクの吐出方向が水平方向である第１のインクジェットヘッドおよび第２のインクジェットヘッドとを備えるものが知られている（例えば、特許文献１参照。）。特許文献１に記載のインクジェットプリンターは、搬送機構によって記録媒体が搬送され、記録媒体の表面に第１のインクジェットヘッドで印刷を行うとともに、記録媒体の裏面に第２のインクジェットヘッドで印刷を行う。特許文献１に記載のインクジェットプリンターにおいて、第１のインクジェットヘッドおよび第２のインクジェットヘッドが記録媒体の搬送方向に直交する方向であって記録媒体に平行な方向に移動し、インクを吐出するノズルが記録媒体の搬送方向に複数並べられたノズル列を第１のインクジェットヘッドおよび第２のインクジェットヘッドが備えると仮定すると、記録媒体の搬送方向におけるノズル列の長さが長いほど、印刷速度が向上する。
【先行技術文献】
【特許文献】
【０００３】
【特許文献１】特開２００６−２５６２８９号公報
【発明の概要】
【発明が解決しようとする課題】
【０００４】
しかしながら、特許文献１に記載のインクジェットプリンターにおいては、記録媒体の搬送方向、すなわち、鉛直方向におけるノズル列の長さが長くなると、ノズル列のノズルのうち鉛直方向における上端のノズルと、下端のノズルとにおけるインクの水頭差が大きくなるので、上端のノズルと、下端のノズルとにおけるインクの吐出性能に大きな差が生じ、その結果として、印刷の精度が落ちるという問題がある。
【０００５】
そこで、本発明は、高精度の両面印刷を高速に実行することができるインクジェットプリンターを提供することを目的とする。
【課題を解決するための手段】
【０００６】
本発明のインクジェットプリンターは、記録媒体を搬送する搬送機構と、ノズルからのインクの吐出方向が鉛直方向の下向きである第１のインクジェットヘッドおよび第２のインクジェットヘッドとを備え、前記第１のインクジェットヘッドは、表面が鉛直方向の上面である前記記録媒体の表面に印刷を行い、前記搬送機構は、前記第１のインクジェットヘッドによって表面に印刷が行われた前記記録媒体の裏面が鉛直方向の上面になるように前記記録媒体の表裏を変更する表裏変更機構を備え、前記第２のインクジェットヘッドは、前記表裏変更機構によって裏面が鉛直方向の上面にされた前記記録媒体の裏面に印刷を行うことを特徴とする。
【０００７】
この構成により、本発明のインクジェットプリンターは、第１のインクジェットヘッドおよび第２のインクジェットヘッドの両方とも、ノズルからのインクの吐出方向が鉛直方向の下向きであるので、記録媒体の搬送方向におけるノズル群の長さを長くしたとしても、記録媒体の搬送方向におけるノズル群の両端のノズルにおけるインクの水頭差が抑えられ、印刷の精度が高精度のまま維持される。したがって、本発明のインクジェットプリンターは、記録媒体の搬送方向におけるノズル群の長さを長くすることによって、高精度の両面印刷を高速に実行することができる。
【０００８】
本発明のインクジェットプリンターにおいて、前記搬送機構は、巻かれた前記記録媒体を前記第１のインクジェットヘッドおよび前記第２のインクジェットヘッドによる両面印刷のために前記第１のインクジェットヘッド側に繰り出す両面印刷用繰り出しローラーと、前記第１のインクジェットヘッドおよび前記第２のインクジェットヘッドによって両面印刷された前記記録媒体を前記第２のインクジェットヘッド側から巻き取る両面印刷用巻き取りローラーとを備えても良い。
【０００９】
この構成により、本発明のインクジェットプリンターは、両面印刷用繰り出しローラーによって繰り出されて両面印刷用巻き取りローラーによって巻き取られる、例えば、布帛、ポリ塩化ビニル製シートなどの長い記録媒体に連続的に両面印刷を実行することができる。
【００１０】
本発明のインクジェットプリンターにおいて、前記搬送機構は、巻かれた前記記録媒体を前記第１のインクジェットヘッドによる片面印刷のために前記第１のインクジェットヘッド側に繰り出す第１の片面印刷用繰り出しローラーと、前記第１のインクジェットヘッドによって片面印刷された前記記録媒体を前記第１のインクジェットヘッド側から巻き取る第１の片面印刷用巻き取りローラーと、巻かれた前記記録媒体を前記第２のインクジェットヘッドによる片面印刷のために前記第２のインクジェットヘッド側に繰り出す第２の片面印刷用繰り出しローラーと、前記第２のインクジェットヘッドによって片面印刷された前記記録媒体を前記第２のインクジェットヘッド側から巻き取る第２の片面印刷用巻き取りローラーとを備え、前記第１の片面印刷用繰り出しローラーおよび前記第１の片面印刷用巻き取りローラーの一方は、前記両面印刷用繰り出しローラーであり、前記第２の片面印刷用繰り出しローラーおよび前記第２の片面印刷用巻き取りローラーの一方は、前記両面印刷用巻き取りローラーであっても良い。
【００１１】
この構成により、本発明のインクジェットプリンターは、第１のインクジェットヘッドおよび第２のインクジェットヘッドによって両面印刷を実行可能であるだけでなく、第１のインクジェットヘッドおよび第２のインクジェットヘッドによってそれぞれ片面印刷を実行可能である。しかも、本発明のインクジェットプリンターは、第１のインクジェットヘッドおよび第２のインクジェットヘッドによってそれぞれ片面印刷を同時に実行可能であるので、片面印刷による印刷物を短時間で大量に製造することができる。
【００１２】
本発明のインクジェットプリンターにおいて、前記表裏変更機構は、前記第１のインクジェットヘッドと、前記第１の片面印刷用繰り出しローラーおよび前記第１の片面印刷用巻き取りローラーのうち前記両面印刷用繰り出しローラー以外の方との間に配置されていても良い。
【００１３】
この構成により、本発明のインクジェットプリンターは、第１のインクジェットヘッドによって表面に印刷された記録媒体を巻き取りローラーで巻き取ることなく、第２のインクジェットヘッドによって記録媒体の裏面に印刷することができるので、簡単な構成で両面印刷を実行することができる。
【００１４】
本発明のインクジェットプリンターにおいて、前記表裏変更機構は、前記記録媒体の搬送方向を反対方向に変更しても良い。
【００１５】
この構成により、本発明のインクジェットプリンターは、水平方向における全体のサイズを抑えて小型化することができる。
【発明の効果】
【００１６】
本発明のインクジェットプリンターは、高精度の両面印刷を高速に実行することができる。
【図面の簡単な説明】
【００１７】
【図１】本発明の一実施の形態に係るインクジェットプリンターを両面印刷時に側面側から観察した概略構成図である。
【図２】図１に示すインクジェットプリンターを両面印刷時に上面側から観察した概略構成図である。
【図３】図１に示すレール、キャリッジおよびインクジェットヘッドの底面図である。
【図４】図１に示すインクジェットプリンターのブロック図である。
【図５】図１に示すインクジェットプリンターを片面印刷時に側面側から観察した概略構成図である。
【図６】図３に示す例とは異なる例での、本発明の一実施の形態に係るインクジェットプリンターのレール、キャリッジおよびインクジェットヘッドの底面図である。
【図７】図２に示す例とは異なる例において、本発明の一実施の形態に係るインクジェットプリンターを両面印刷時に上面側から観察した概略構成図である。
【図８】図５に示す例とは異なる例において、本発明の一実施の形態に係るインクジェットプリンターを片面印刷時に側面側から観察した概略構成図である。
【発明を実施するための形態】
【００１８】
以下、本発明の実施の形態について、図面を用いて説明する。
【００１９】
まず、本発明の実施の形態に係るインクジェットプリンターの構成について説明する。
【００２０】
図１は、本実施の形態に係るインクジェットプリンター１０を両面印刷時に側面側から観察した概略構成図である。図２は、インクジェットプリンター１０を両面印刷時に上面側から観察した概略構成図である。
【００２１】
図１および図２に示すように、インクジェットプリンター１０は、記録媒体９０を搬送する搬送機構２０と、矢印１０ａで示す重力方向、すなわち、鉛直方向に直交する矢印１０ｂで示す主走査方向に延在するレール４１と、矢印１０ｂで示す主走査方向に移動可能にレール４１に支持されているキャリッジ４２と、キャリッジ４２に搭載されている第１のインクジェットヘッドとしての複数のインクジェットヘッド４３と、記録媒体９０に付着したインクを固めたり発色させたりするための熱を記録媒体９０に加えるヒーター４４〜４６と、矢印１０ｂで示す主走査方向に延在するレール５１と、矢印１０ｂで示す主走査方向に移動可能にレール５１に支持されているキャリッジ５２と、キャリッジ５２に搭載されている第２のインクジェットヘッドとしての複数のインクジェットヘッド５３と、記録媒体９０に付着したインクを固めたり発色させたりするための熱を記録媒体９０に加えるヒーター５４〜５６と、両面印刷時に記録媒体９０の表面の印刷位置を検出する印刷位置センサー６１と、両面印刷時に記録媒体９０の両面の印刷位置を検出する印刷位置センサー６２とを備えている。
【００２２】
印刷位置センサー６２は、記録媒体９０の両面の印刷位置を検出するので、記録媒体９０を挟んで矢印１０ａで示す鉛直方向における上側および下側の両側に配置されていることが好ましいが、記録媒体９０の透過性が高く、片側から片側の面の印刷位置だけでなく記録媒体９０を透過させて反対側の面の印刷位置も検出可能である場合には片側のみに配置されていても良い。
【００２３】
搬送機構２０は、矢印１０ｂで示す方向に延在していて記録媒体９０が巻かれるローラー２１〜２４と、記録媒体９０のうちインクジェットヘッド４３に対向する部分の搬送方向を矢印１０ａで示す方向および矢印１０ｂで示す方向の両方に直交する矢印１０ｃで示す方向にするプラテン２５と、記録媒体９０のうちインクジェットヘッド５３に対向する部分の搬送方向を矢印１０ｃで示す方向にするプラテン２６と、矢印１０ｂで示す方向に延在していて記録媒体９０の搬送方向を変更する方向変更部材２７〜２９と、矢印１０ｂで示す方向に延在していて記録媒体９０を送るピンチローラー３０〜３２とを備えている。
【００２４】
プラテン２５は、プラテン２６に対して矢印１０ａで示す鉛直方向における上側に配置されている。
【００２５】
方向変更部材２７および方向変更部材２９は、記録媒体９０の表裏を変更する表裏変更機構を構成している。
【００２６】
インクジェットヘッド４３は、後述する片面印刷時の記録媒体９０の搬送路において、ローラー２１と、ローラー２２との間に配置されている。ピンチローラー３０およびヒーター４４は、記録媒体９０の搬送路において、ローラー２１と、インクジェットヘッド４３との間に配置されている。ヒーター４５は、インクジェットヘッド４３に対して矢印１０ａで示す鉛直方向における下側に配置されている。方向変更部材２７、ヒーター４６および印刷位置センサー６１は、後述する片面印刷時の記録媒体９０の搬送路において、ローラー２２と、インクジェットヘッド４３との間に配置されている。
【００２７】
インクジェットヘッド５３は、後述する片面印刷時の記録媒体９０の搬送路において、ローラー２３と、ローラー２４との間に配置されている。ピンチローラー３１、ヒーター５４および印刷位置センサー６２は、記録媒体９０の搬送路において、ローラー２３と、インクジェットヘッド５３との間に配置されている。ヒーター５５は、インクジェットヘッド５３に対して矢印１０ａで示す鉛直方向における下側に配置されている。方向変更部材２８、方向変更部材２９、ピンチローラー３２およびヒーター５６は、後述する片面印刷時の記録媒体９０の搬送路において、ローラー２４と、インクジェットヘッド５３との間に配置されている。
【００２８】
図３は、レール４１、キャリッジ４２およびインクジェットヘッド４３の底面図である。
【００２９】
図３に示すように、インクジェットヘッド４３は、インクを吐出するノズル４３ａが搬送機構２０（図１参照。）による記録媒体９０（図１参照。）の矢印１０ｃで示す搬送方向に複数並べられたノズル列４３ｂを備えている。そして、インクジェットヘッド４３は、ノズル４３ａからのインクの吐出方向が矢印１０ａ（図１参照。）で示す鉛直方向の下向きである。
【００３０】
同様に、インクジェットヘッド５３（図１参照。）は、インクを吐出するノズルが搬送機構２０による記録媒体９０の矢印１０ｃで示す搬送方向に複数並べられたノズル列を備えている。そして、インクジェットヘッド５３は、ノズルからのインクの吐出方向が矢印１０ａで示す鉛直方向の下向きである。
【００３１】
図４は、インクジェットプリンター１０のブロック図である。
【００３２】
図４に示すように、インクジェットプリンター１０は、キャリッジ４２を矢印１０ｂで示す方向に移動させるキャリッジ駆動装置７１と、キャリッジ５２を矢印１０ｂで示す方向に移動させるキャリッジ駆動装置７２と、種々の操作が入力されるボタンなどの入力デバイスである操作部７３と、種々の情報を表示するＬＣＤ（Ｌｉｑｕｉｄ  Ｃｒｙｓｔａｌ  Ｄｉｓｐｌａｙ）などの表示デバイスである表示部７４と、外部の装置と通信を行う通信デバイスである通信部７５と、各種のデータを記憶しているＨＤＤ（Ｈａｒｄ  Ｄｉｓｋ  Ｄｒｉｖｅ）などの記憶デバイスである記憶部７６と、インクジェットプリンター１０全体を制御する制御部７７とを備えている。
【００３３】
制御部７７は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部７６に記憶されているプログラムを実行するようになっている。
【００３４】
次に、インクジェットプリンター１０の動作について説明する。
【００３５】
まず、両面印刷時のインクジェットプリンター１０の動作について説明する。
【００３６】
両面印刷時には、図１および図２に示すように、ローラー２１と、ローラー２３との間に記録媒体９０が配置される。ここで、方向変更部材２８は、両面印刷時に使用されないので、矢印１０ａで示す鉛直方向における下側に移動させられることによって、記録媒体９０に接触しない状態にされている。また、ピンチローラー３１も、両面印刷時に使用されないので、矢印１０ａで示す鉛直方向における上側に移動させられることによって、記録媒体９０に接触しない状態にされている。
【００３７】
制御部７７は、両面印刷用の印刷データを通信部７５を介して受信すると、受信した印刷データに基づいて以下のように動作する。
【００３８】
制御部７７は、ピンチローラー３０によって記録媒体９０を矢印１０ｄで示す方向、すなわち、インクジェットヘッド４３側に送る。したがって、ローラー２１に巻かれた記録媒体９０は、インクジェットヘッド４３およびインクジェットヘッド５３による両面印刷のためにインクジェットヘッド４３側に繰り出される。すなわち、ローラー２１は、両面印刷用繰り出しローラーとして機能する。
【００３９】
また、制御部７７は、インクジェットヘッド４３によって表面に印刷された記録媒体９０を、インクジェットヘッド５３による裏面への印刷のために、ピンチローラー３２によって矢印１０ｄで示す方向、すなわち、インクジェットヘッド５３側に送る。そして、制御部７７は、インクジェットヘッド４３およびインクジェットヘッド５３によって両面印刷された記録媒体９０をインクジェットヘッド５３側からローラー２３によって巻き取る。すなわち、ローラー２３は、両面印刷用巻き取りローラーとして機能する。
【００４０】
なお、記録媒体９０は、インクジェットヘッド４３に対向する部分では、表面が矢印１０ａで示す鉛直方向の上面である。しかしながら、記録媒体９０は、搬送機構２０による搬送による方向変更部材２７および方向変更部材２９との接触によって、裏面が矢印１０ａで示す鉛直方向の上面になるように表裏が変更される。したがって、記録媒体９０は、インクジェットヘッド５３に対向する部分では、裏面が矢印１０ａで示す鉛直方向の上面になる。
【００４１】
制御部７７は、両面印刷時、インクジェットヘッド４３およびキャリッジ駆動装置７１によって記録媒体９０の表面に印刷を実行するとともに、インクジェットヘッド５３およびキャリッジ駆動装置７２によって記録媒体９０の裏面に印刷を実行する。また、制御部７７は、両面印刷時、ヒーター４４〜４６、ヒーター５４およびヒーター５５を駆動する。したがって、記録媒体９０は、ヒーター４４によって加熱された後、ヒーター４５によって加熱されながらインクジェットヘッド４３によって表面に印刷が実行され、その後、ヒーター４６によって加熱された後、ヒーター５５によって加熱されながらインクジェットヘッド５３によって裏面に印刷が実行され、その後、ヒーター５４によって加熱される。
【００４２】
制御部７７は、両面印刷時、インクジェットヘッド４３によって記録媒体９０の表面に印刷された画像の位置および長さを印刷位置センサー６１によって検出した後、インクジェットヘッド５３によって記録媒体９０の裏面に印刷する予定の画像の位置および長さを、インクジェットヘッド４３によって記録媒体９０の表面に印刷された画像の位置および長さに合うように、印刷位置センサー６１による検出結果に応じて変更する。そして、制御部７７は、記録媒体９０の両面に印刷された画像の位置および長さを印刷位置センサー６２によって検出し、印刷位置センサー６２による検出結果を、インクジェットヘッド５３による記録媒体９０の裏面への印刷にフィードバックする。したがって、インクジェットプリンター１０は、インクジェットヘッド４３によって記録媒体９０の表面に印刷してからインクジェットヘッド５３によって記録媒体９０の裏面に印刷するまでの間に、記録媒体９０が伸びたり縮んだりした場合であっても、記録媒体９０の裏面に印刷する画像を、記録媒体９０の表面に印刷した画像に合わせるように補正することができる。
【００４３】
次に、片面印刷時のインクジェットプリンター１０の動作について説明する。
【００４４】
片面印刷時には、図５に示すように、ローラー２１と、ローラー２２との間に記録媒体９０が配置されることができるとともに、ローラー２３と、ローラー２４との間にも記録媒体９０が配置されることができる。ここで、方向変更部材２９およびピンチローラー３２は、片面印刷時に使用されないので、矢印１０ａで示す鉛直方向における上側に移動させられることによって、記録媒体９０に接触しない状態にされている。一方、方向変更部材２８は、片面印刷時に使用されるので、図１に示す両面印刷時より矢印１０ａで示す鉛直方向における上側に移動させられることによって、記録媒体９０に接触する状態にされている。また、ピンチローラー３１も、片面印刷時に使用されるので、図１に示す両面印刷時より矢印１０ａで示す鉛直方向における下側に移動させられることによって、記録媒体９０に接触する状態にされている。
【００４５】
制御部７７は、片面印刷用の印刷データを通信部７５を介して受信すると、受信した印刷データに基づいて以下のように動作する。
【００４６】
制御部７７は、ピンチローラー３０によって記録媒体９０を矢印１０ｅで示す方向、すなわち、インクジェットヘッド４３側に送る。したがって、ローラー２１に巻かれた記録媒体９０は、インクジェットヘッド４３による片面印刷のためにインクジェットヘッド４３側に繰り出される。すなわち、ローラー２１は、第１の片面印刷用繰り出しローラーとして機能する。そして、制御部７７は、インクジェットヘッド４３によって片面印刷された記録媒体９０をインクジェットヘッド４３側からローラー２２によって巻き取る。すなわち、ローラー２２は、第１の片面印刷用巻き取りローラーとして機能する。
【００４７】
また、制御部７７は、ピンチローラー３１によって記録媒体９０を矢印１０ｆで示す方向、すなわち、インクジェットヘッド５３側に送る。したがって、ローラー２３に巻かれた記録媒体９０は、インクジェットヘッド５３による片面印刷のためにインクジェットヘッド５３側に繰り出される。すなわち、ローラー２３は、第２の片面印刷用繰り出しローラーとして機能する。そして、制御部７７は、インクジェットヘッド５３によって片面印刷された記録媒体９０をインクジェットヘッド５３側からローラー２４によって巻き取る。すなわち、ローラー２４は、第２の片面印刷用巻き取りローラーとして機能する。
【００４８】
制御部７７は、ローラー２１と、ローラー２２との間に配置された記録媒体９０への片面印刷時、インクジェットヘッド４３およびキャリッジ駆動装置７１によって記録媒体９０の表面に印刷を実行するとともに、ヒーター４４〜４６を駆動する。したがって、ローラー２１と、ローラー２２との間に配置された記録媒体９０は、ヒーター４４によって加熱された後、ヒーター４５によって加熱されながらインクジェットヘッド４３によって表面に印刷が実行され、その後、ヒーター４６によって加熱される。
【００４９】
また、制御部７７は、ローラー２３と、ローラー２４との間に配置された記録媒体９０への片面印刷時、インクジェットヘッド５３およびキャリッジ駆動装置７２によって記録媒体９０の表面に印刷を実行するとともに、ヒーター５４〜５６を駆動する。したがって、ローラー２３と、ローラー２４との間に配置された記録媒体９０は、ヒーター５４によって加熱された後、ヒーター５５によって加熱されながらインクジェットヘッド５３によって表面に印刷が実行され、その後、ヒーター５６によって加熱される。
【００５０】
以上に説明したように、インクジェットプリンター１０は、インクジェットヘッド４３のノズル４３ａからのインクの吐出方向が矢印１０ａで示す鉛直方向の下向きであるので、記録媒体９０の搬送方向におけるノズル４３ａ群の長さを長くしたとしても、記録媒体９０の搬送方向におけるノズル４３ａ群の両端のノズル４３ａにおけるインクの水頭差が抑えられ、印刷の精度が高精度のまま維持される。同様に、インクジェットプリンター１０は、インクジェットヘッド５３のノズルからのインクの吐出方向が矢印１０ａで示す鉛直方向の下向きであるので、記録媒体９０の搬送方向におけるインクジェットヘッド５３のノズル群の長さを長くしたとしても、記録媒体９０の搬送方向におけるインクジェットヘッド５３のノズル群の両端のノズルにおけるインクの水頭差が抑えられ、印刷の精度が高精度のまま維持される。したがって、インクジェットプリンター１０は、記録媒体９０の搬送方向におけるインクジェットヘッド４３のノズル４３ａ群の長さを長くするとともに、記録媒体９０の搬送方向におけるインクジェットヘッド５３のノズル群の長さを長くすることによって、高精度の両面印刷を高速に実行することができる。
【００５１】
なお、記録媒体９０の搬送方向におけるインクジェットヘッド４３のノズル４３ａ群の長さを長くする方法としては、図３に示すようなノズル列４３ｂの長さを長くする方法と、図６に示すように複数のインクジェットヘッド４３を記録媒体９０の搬送方向、すなわち、矢印１０ｃで示す方向にずらして配置することによって、複数のインクジェットヘッド４３全体としてスタガヘッドを構成して矢印１０ｃで示す方向におけるノズル４３ａ群の長さを長くする方法とが存在する。
【００５２】
インクジェットプリンター１０は、ローラー２１およびローラー２３を備えているので、ローラー２１によって繰り出されてローラー２３によって巻き取られる、例えば、布帛、ポリ塩化ビニル製シートなどの長い記録媒体９０に連続的に両面印刷を実行することができる。
【００５３】
インクジェットプリンター１０は、図１に示すようにインクジェットヘッド４３およびインクジェットヘッド５３によって両面印刷を実行可能であるだけでなく、図５に示すようにインクジェットヘッド４３およびインクジェットヘッド５３によってそれぞれ片面印刷を実行可能である。しかも、インクジェットプリンター１０は、インクジェットヘッド４３およびインクジェットヘッド５３によってそれぞれ片面印刷を同時に実行可能であるので、片面印刷による印刷物を短時間で大量に製造することができる。なお、インクジェットプリンター１０は、インクジェットヘッド４３およびインクジェットヘッド５３によってそれぞれ片面印刷を同時に実行する場合、インクジェットヘッド４３と、インクジェットヘッド５３とによって、同一の種類の印刷物を生成しても良いし、それぞれ異なる種類の印刷物を生成しても良い。
【００５４】
インクジェットプリンター１０は、ローラー２１およびローラー２２のうち両面印刷用繰り出しローラー以外の方であるローラー２２と、インクジェットヘッド４３との間に方向変更部材２７が配置されているので、インクジェットヘッド４３によって表面に印刷された記録媒体９０を巻き取りローラーとしてのローラー２２で巻き取ることなく、インクジェットヘッド５３によって記録媒体９０の裏面に印刷することができる。したがって、インクジェットプリンター１０は、簡単な構成で両面印刷を実行することができる。
【００５５】
インクジェットプリンター１０は、表裏変更機構である方向変更部材２７および方向変更部材２９が記録媒体９０の搬送方向を反対方向に変更するので、例えば図７に示すように表裏変更機構が記録媒体９０の搬送方向を反対方向以外に変更する構成と比較して、水平方向における全体のサイズを抑えて小型化することができる。
【００５６】
なお、インクジェットプリンター１０は、表裏変更機構が記録媒体９０の搬送方向を反対方向以外に変更する構成であっても良い。すなわち、インクジェットプリンター１０は、例えば図７に示す構成であっても良い。
【００５７】
図７に示す構成は、記録媒体９０のうちインクジェットヘッド５３に対向する部分の搬送方向が図２に示す構成と直交している。図７に示す構成は、両面印刷時の方向変更部材２７から方向変更部材２９までの搬送路の途中に方向変更部材３３を備えている。すなわち、図７に示す構成は、方向変更部材２７、方向変更部材２９および方向変更部材３３によって表裏変更機構を構成している。図７に示す構成は、図２に示す構成と比較して、インクジェットヘッド５３に対して矢印１０ａで示す鉛直方向における上側にインクジェットヘッド４３などの他の部材が配置されることを抑えることができるので、インクジェットヘッド５３のメンテナンスが容易であるというメリットがある。
【００５８】
なお、以上において、方向変更部材２８は、図１に示すように両面印刷時に記録媒体９０に接触しない状態にされている。この構成によって、インクジェットヘッド４３によって記録媒体９０の表面に印刷された画像が方向変更部材２８との接触によって汚れることを防止することができる。しかしながら、インクジェットヘッド４３によって記録媒体９０の表面に印刷された画像を構成するインクが、方向変更部材２８の位置に搬送されるまでに、方向変更部材２８との接触によって汚れない程度に固まるのであれば、方向変更部材２８は、両面印刷時であっても、記録媒体９０に接触しない状態にされる必要はない。
【００５９】
また、以上において、ピンチローラー３２は、両面印刷時に記録媒体９０を送る役割を担っている。したがって、例えば、両面印刷時に方向変更部材２９が記録媒体９０を送る構成である場合であれば、インクジェットプリンター１０は、ピンチローラー３２を備えていなくても良い。同様に、両面印刷時に方向変更部材２８が記録媒体９０に接触する構成であって、両面印刷時に方向変更部材２８が記録媒体９０を送る構成である場合にも、インクジェットプリンター１０は、ピンチローラー３２を備えていなくても良い。
【００６０】
インクジェットプリンター１０は、図１、図２および図５に示す構成において、図５に示す片面印刷時に、ローラー２３から記録媒体９０を繰り出してインクジェットヘッド５３によって記録媒体９０の表面に印刷を実行した後で、ローラー２４によって記録媒体９０を巻き取っている。しかしながら、インクジェットプリンター１０は、図８に示すように、片面印刷時に、ローラー２４から記録媒体９０を繰り出してインクジェットヘッド５３によって記録媒体９０の表面に印刷を実行した後で、ローラー２３によって記録媒体９０を巻き取る構成であっても良い。
【００６１】
図８に示す例では、ローラー２３と、ローラー２４との間に配置された記録媒体９０は、図５に示す例における矢印１０ｆで示す方向とは反対方向である矢印１０ｇで示す方向に搬送される。そして、図８に示す例では、両面印刷時に使用されるピンチローラー３２を使用するので、図５に示す例におけるピンチローラー３１が不要である。図８に示す例では、ローラー２４が第２の片面印刷用繰り出しローラーとして機能し、ローラー２３が第２の片面印刷用巻き取りローラーとして機能する。なお、図８に示す例においても、両面印刷時に上述したように方向変更部材２８または方向変更部材２９が記録媒体９０を送る構成である場合に、片面印刷時にも方向変更部材２８または方向変更部材２９が記録媒体９０を送る構成であるとき、ピンチローラー３２を備えていなくても良い。
【００６２】
インクジェットプリンター１０は、図１、図２および図５に示す構成において、図５に示す片面印刷時に、ローラー２１から記録媒体９０を繰り出してインクジェットヘッド４３によって記録媒体９０の表面に印刷を実行した後で、ローラー２２によって記録媒体９０を巻き取っている。しかしながら、インクジェットプリンター１０は、片面印刷時に、ローラー２２から記録媒体９０を繰り出してインクジェットヘッド４３によって記録媒体９０の表面に印刷を実行した後で、ローラー２１によって記録媒体９０を巻き取る構成であっても良い。
【００６３】
インクジェットプリンター１０は、図１、図２および図５に示す構成において、図１に示す両面印刷時に、ローラー２１から記録媒体９０を繰り出してインクジェットヘッド４３によって記録媒体９０の表面に印刷を実行した後で、インクジェットヘッド５３によって記録媒体９０の裏面に印刷を実行してローラー２３によって記録媒体９０を巻き取っている。しかしながら、インクジェットプリンター１０は、両面印刷時に、ローラー２３から記録媒体９０を繰り出してインクジェットヘッド５３によって記録媒体９０の表面に印刷を実行した後で、インクジェットヘッド４３によって記録媒体９０の裏面に印刷を実行してローラー２１によって記録媒体９０を巻き取る構成であっても良い。
【００６４】
インクジェットプリンター１０は、水性捺染染料インク、水性捺染顔料インク、ソルベントインク、ＵＶ（ＵｌｔｒａＶｉｏｌｅｔ）インク、ソルベントＵＶインクなど、様々な種類のインクを使用することが可能である。インクジェットプリンター１０は、図１に示す構成においてヒーター４４〜４６およびヒーター５４〜５６を備えているが、使用するインクに応じて、ヒーターの配置を変更したり、ヒーターの数を変更したりすることが好ましい。また、インクジェットプリンター１０は、ＵＶインクやソルベントＵＶインクを硬化させるための紫外線照射装置など、図１に示す構成に無い装置が必要である場合には、使用するインクに応じた装置を備える必要がある。
【符号の説明】
【００６５】
１０  インクジェットプリンター
１０ａ  矢印（鉛直方向を示す矢印）
２０  搬送機構
２１  ローラー（両面印刷用繰り出しローラー、第１の片面印刷用繰り出しローラー）
２２  ローラー（第１の片面印刷用巻き取りローラー）
２３  ローラー（両面印刷用巻き取りローラー、第２の片面印刷用繰り出しローラー、第２の片面印刷用巻き取りローラー）
２４  ローラー（第２の片面印刷用巻き取りローラー、第２の片面印刷用繰り出しローラー）
２７  方向変更部材（表裏変更機構）
２９  方向変更部材（表裏変更機構）
３３  方向変更部材（表裏変更機構）
４３  インクジェットヘッド（第１のインクジェットヘッド）
４３ａ  ノズル
５３  インクジェットヘッド（第２のインクジェットヘッド）
９０  記録媒体
【図１】
2017052098.tif 000003
【図２】
2017052098.tif 000004
【図３】
2017052098.tif 000005
【図４】
2017052098.tif 000006
【図５】
2017052098.tif 000007
【図６】
2017052098.tif 000008
【図７】
2017052098.tif 000009
【図８】
2017052098.tif 000010